(57)【要約】【課題】  不正に文書を複写できないようにすると共に、不正に複写しようとした者を知ることができるようにする。【解決手段】  画像読取部１１によって原稿の画像を読み取り電子化した画像データを得て、第１画像データ処理部１４によってその画像データから予め決められたパターンを認識したとき、上記画像データに対する不正複写防止処理を実行すると共に、映像記憶装置１５によって不正複写防止処理実行時のＭＦＰ１周囲の映像を撮影してその映像データを取得してＨＤＤ１３に記憶し、その映像データをネットワーク２を介して外部管理者のＰＣ３へ送信する。【選択図】        図１
2007081986.tif 000002
【特許請求の範囲】
【請求項１】
原稿の画像を読み取り電子化した画像データを得る画像読取手段と、該画像読取手段によって得られた画像データから予め決められたパターンを認識したとき、前記画像データに対する不正複写防止処理を実行する不正複写防止処理手段と、前記パターンを認識したときの装置周囲の映像データを取得して記憶する映像記憶手段とを備えたことを特徴とする画像処理装置。
【請求項２】
前記映像データは不正な画像読み取りを行った使用者の映像データであることを特徴とする請求項１記載の画像処理装置。
【請求項３】
前記映像データは不正な画像読み取りを行った使用者の動画又は静止画の映像データであることを特徴とする請求項２記載の画像処理装置。
【請求項４】
請求項１乃至３のいずれか一項に記載の画像処理装置において、前記映像記憶手段に記憶した映像データを外部の管理者用装置へ送信する手段を設けたことを特徴とする画像処理装置。
【請求項５】
請求項４記載の画像処理装置において、前記映像データを外部の管理者用装置へ送信するとき、前記映像データを集約化して送信する手段を設けたことを特徴とする画像処理装置。
【請求項６】
請求項４又は５記載の画像処理装置において、前記映像データを外部の管理者用装置へ送信するとき、前記パターンを認識した画像データも併せて送信する手段を設けたことを特徴とする画像処理装置。
【発明の詳細な説明】
【技術分野】
【０００１】
この発明は、複写機、ファクシミリ、プリンタ、スキャナ、複写機とファクシミリとプリンタとスキャナの機能を複合したデジタル複合機（ＭＦＰ）を含む画像処理装置に関する。
【背景技術】
【０００２】
ＣＣＤ光電変換素子からなるラインセンサ読み取り装置やレーザ光による書き込み装置の発展により、アナログ複写機からデジタル化された画像データの処理を行うデジタル複写機が登場した。
また、デジタル複写機となってからは、複写機の機能だけでなく、ファクシミリ、プリンタ、スキャナの各機能を複合させたため、単なるデジタル複写機ではなく、デジタル複合機（「ＭＦＰ」と略称する）と呼ばれるようになった。
さらに、ハードディスクドライブ（ＨＤＤ）を含むメモリの大容量化と低コスト化、ネットワークを含む通信技術の高速化と普及、ＣＰＵの処理能力の向上、デジタル画像データに関連する技術（例えば、特性値の規格化や圧縮フォーマット）等々、ＭＦＰに関連する技術の進化に伴い、ＭＦＰに搭載される機能も多種多様化してきている。
【０００３】
今日、オフィスの中でのＭＦＰの使われ方も多種多様化してきている。
例えば、パーソナルコンピュータ（「ＰＣ」と略称する）の横にペアで設置され、各職務者が手軽に複写機、ファクシミリ、プリンタ、スキャナの機能を使用することができる小型のＭＦＰがある。
また、部署や課単位の複数名で共有され、ある程度の生産性やソート、パンチ、ステープルを含む各種の機能が使用できる中型のＭＦＰがある。
さらに、企業の中で複写関連業務を集中して行う部署、もしくは複写関連業務そのものを生業とする会社では、高生産性と高品位で、多機能な大型のＭＦＰが使用されている。
上述のように小型から大型までと多様化してきているＭＦＰであるが、各クラスに亘って共有できる機能も存在するが、クラス毎に要求が強い機能も存在する。
【０００４】
例えば、大型のＭＦＰではパンチ、ステープル、紙折りを含むプロット後の紙に対する後加工や、複写業務と同時に電子ファイリング化することが求められ、小型のＭＦＰではインターネットＦＡＸやＰＣ−ＦＡＸの機能の充実や、パーソナル的な使用目的として、専用紙に対する高品位画像印刷が求められる。
このように多種多様化してきているＭＦＰ市場に対して、従来は各クラスに必要な機能をセットにしたシステムを構築して販売提供していた。
ところで、ビジネスにおける情報価値の重要性は既に認知されており、情報を早く、正確に、確実に伝えるだけでなく、分かり易く且つ効果的に伝えることも要求されている。
特に、通信技術の高速化と普及化、メモリの大容量化と低コスト化、小型化とＰＣの高性能化にともない、不正に機密文書や社外秘文書を簡単に複製する環境が、存在することになり、不正に文書を複写（コピー）できないようにするための技術が発展してきており、更なるセキュリティ強化が望まれている。
【０００５】
企業の中では、機密文書、社外秘文書を作成し、配布することも増えたが、同時に不正にそのような画像を簡単に複製する環境が、同じオフィス内に存在することになり、不正に文書を複写できないようにするための技術が発展してきており、更なるセキュリティの強化や多機能化が望まれている。
従来、入力画像が複写に違法性のある紙幣等の原稿かを判断し、違法性有りと判定した場合は、通常の画像形成をさせないようにすると共に、違法画像が印刷されようとした旨を他の装置へ通報するように指示し、さらに、その詳しい状況を示す日時、印刷しようとした枚数、縮尺、印刷しようとした画像の状況情報を他の装置へ送信する画像処理装置（例えば、特許文献１参照）があった。
【特許文献１】特開２００２−２３２７０７号公報
【発明の開示】
【発明が解決しようとする課題】
【０００６】
しかしながら、従来の画像処理装置では、不正に複写しようとした者を簡単に知ることができないという問題があった。
この発明は上記の点に鑑みてなされたものであり、不正に文書を複写できないようにすると共に、不正に複写しようとした者を知ることができるようにすることを目的とする。
【課題を解決するための手段】
【０００７】
この発明は上記の目的を達成するため、次の画像処理装置を提供する。
（１）原稿の画像を読み取り電子化した画像データを得る画像読取手段と、その画像読取手段によって得られた画像データから予め決められたパターンを認識したとき、上記画像データに対する不正複写防止処理を実行する不正複写防止処理手段と、上記パターンを認識したときの装置周囲の映像データを取得して記憶する映像記憶手段を備えた画像処理装置。
（２）上記（１）の画像処理装置において、上記映像データは不正な画像読み取りを行った使用者の映像データである画像処理装置。
【０００８】
（３）上記（２）の画像処理装置において、上記映像データは不正な画像読み取りを行った使用者の動画又は静止画の映像データである画像処理装置。
（４）上記（１）〜（３）のいずれかの画像処理装置において、上記映像記憶手段に記憶した映像データを外部の管理者用装置へ送信する手段を設けた画像処理装置。
（５）上記（４）の画像処理装置において、上記映像データを外部の管理者用装置へ送信するとき、上記映像データを集約化して送信する手段を設けた画像処理装置。
（６）上記（４）又は（５）の画像処理装置において、上記映像データを外部の管理者用装置へ送信するとき、上記パターンを認識した画像データも併せて送信する手段を設けた画像処理装置。
【発明の効果】
【０００９】
この発明による画像処理装置は、原稿の画像を読み取り電子化した画像データから予め決められたパターンを認識したとき、上記画像データに対する不正コピー防止処理を実行すると共に、上記パターンを認識したときの装置周囲の映像データを取得して記憶するので、その映像データに基づく映像を参照することによって、不正にコピーをした者を容易に知ることができる。
【発明を実施するための最良の形態】
【００１０】
以下、この発明を実施するための最良の形態を図面に基づいて具体的に説明する。
〔実施例〕
図１は、この発明の一実施例のデジタル画像処理装置（以下「ＭＦＰ」と略称する）の機能構成を示すブロック図である。
パーソナルコンピュータ（ＰＣ）３は、このＭＦＰ１とネットワーク２を介してデータのやり取りが可能に接続してＭＦＰ１を管理する外部の管理者用装置であり、パーソナルコンピュータにインストールされたアプリケーションソフトやドライバを介して、ＭＦＰ１に対して各種制御や画像データの入出力を行う。
ＳＤメモリカード４は、フラッシュメモリを内蔵した小型メモリの一種であり、メモリカードリーダライタ装置２０に装着して画像データ及びその付帯情報を含む各種のデータを記録又は再生するための記録媒体であり、ＭＦＰ１に対して簡易に着脱可能で携帯性に優れている記録媒体である。
【００１１】
このＭＦＰ１の操作表示部１０は、ＭＦＰ１とユーザのインタフェースを行う部分であり、液晶表示装置（ＬＣＤ）を含む表示部とキースイッチを含む入力部とから構成され、ＭＦＰ１の各種状態や操作方法を表示部に表示し、ユーザからの各種の情報の入力を検知してＣＰＵ２１へ出力する。
画像読取部（スキャナ部）１１は、原稿の画像にレーザ光（レーザビーム）を照射し、その反射光をアナログ信号に変換するＣＣＤ光電変換素子からなるラインセンサと、ＣＣＤ光電変換素子によって変換されたアナログ信号をデジタルの画像データに変換するＡ／Ｄコンバータと、それらの各部の駆動回路とを具備し、セットされた原稿の画像をスキャンすることによって原稿の濃淡情報をレッド、グリーン、ブルー（ＲＧＢ）の各８ビットからなるデジタル画像データを生成して出力する。すなわち、原稿の画像を読み取り電子化した画像データを得る画像読取手段に相当する。
【００１２】
画像書込部（プロッタ部）１２は、シアン、マゼンタ、イエロー、ブラック（ＣＭＹＫ）からなるデジタル画像データを受け取ると、レーザビームを用いた電子写真プロセスを使って、その受け取った画像データに基づく画像を用紙（転写紙）に印刷する。すなわち、転写紙に画像データを印刷する画像書込手段の機能を果たす。
ハードディスクドライブ（ＨＤＤ）１３は、電子データを保存するための大容量の記憶装置であり、ＭＦＰ１内では主に原稿から読み取った画像のデジタルの画像データ及びその付帯情報、映像記憶装置１５で記憶された映像データを蓄積する。また、本実施例ではＩＤＥを拡張して規格化されているＡＴＡバス接続のハードディスクドライブを使用する。すなわち、画像データ及びその画像データの付帯情報を蓄積する記憶手段の機能を果たす。
【００１３】
第１画像データ処理部１４は、ＭＦＰ１内で必要となる画像データに対する加工、補正、編集、検知、変換、原稿からある規則性を持ったパターン（例えば、地紋）を読み取る不正画像検知、その不正画像検知によって原稿からある規則性を持ったパターンを読み取った場合に実行する不正複写防止処理（「不正複写コピー防止処理」ともいう）を含む各種の処理を行う。すなわち、画像読取手段によって得られた画像データから予め決められたパターンを認識したとき、上記画像データに対する不正複写防止処理を実行する不正複写防止処理手段の機能を果たす。
【００１４】
映像記憶装置１５は、ビデオカメラを含む撮影機を搭載し、ＭＦＰ１の周辺の情報、不正な画像読み取りを行った使用者の映像を撮影し、その映像データを記憶する。上記第１画像データ処理部１４が原稿からある規則性を持ったパターン（例えば、地紋）を読み取った場合の指示に基づいて、不正画像を検知したときの外部状況情報を取得して記憶する。その映像データとしては動画又は静止画がある。ここに記憶された映像データはＨＤＤ１３に送って保存する。その保存された映像データは管理者用装置のＰＣ３から取り出すことができる機能を持っている。すなわち、画像読取部１１によって読み取った画像データから予め決められたパターンを認識したときのＭＦＰ１の周囲の映像の映像データを取得して記憶する映像記憶手段の機能を果たす。
【００１５】
第２画像データ処理部１６は、ＨＤＤ１３に保存された画像データ又は映像データを再度取り出し、圧縮、伸張、画像データの結合を行う装置であり、主に画像データの集約化を行う。すなわち、画像データ又は付帯情報を圧縮、伸張、結合する画像データ処理手段と、映像データを外部の管理者用装置へ送信するときに集約化する手段の機能を果たす。
バス制御回路部１７は、ＭＦＰ１内で必要な画像データ又は映像データと制御コマンドを含む各種データのやり取りを行うデータバスの制御回路であり、標準規格化された拡張バス規格を含む複数種類のバス規格間をまたがって接続するブリッジ機能も有している。
【００１６】
本実施例では、操作表示部１０、画像読取部１１、画像書込部１２、第１画像データ処理部１４、映像記憶装置１５、第２画像データ処理部１６とは、標準規格化された汎用拡張バスであるＰＣＩバス２６で、ＨＤＤ１３とはＡＴＡバス２７で、第１メモリ１８とはＤＩＭＭバス２８で、ＮＢ２２とはＡＧＰバス２９でそれぞれ接続し、ＡＳＩＣ化している。すなわち、ＭＦＰ１内の各部を標準規格化された拡張バス規格を含む複数種類のバス規格に基づくバスをまたがって接続するバス制御手段の機能を果たす。
第１メモリ１８は、複数種類のバス規格間をブリッジする際の速度差や、接続された部品自体の処理速度差を吸収するために、一時的にやりとりするデータを記憶するメモリである。本実施例では規格化されたパーソナルコンピュータに使用されているＤＩＭＭを使用する。
【００１７】
外部インタフェース（Ｉ／Ｆ）回路部１９は、ＭＦＰ１と外部装置のＰＣ３との間で、各種のデータのやり取りを行うために必要な物理的な接続を行う回路である。本実施例ではネットワーク（例えば、イーサネット（登録商標）、ローカルエリアネットワーク、インターネット）とＳＤメモリカード（図中「ＳＤ」と記す）４との接続を行う。すなわち、外部のＰＣ３と画像データを送受する外部インタフェース（Ｉ／Ｆ）手段の機能を果たす。
ＣＰＵ２１は、ＭＦＰ１の制御全体を司るマイクロプロセッサである。本実施例では、例えば、インテル（Ｉｎｔｅｌ）社（登録商標）のｘ８６系のＣＰＵを使用する。
ノースブリッジ（Ｎｏｒｔｈ  Ｂｒｉｄｇｅ：ＮＢ）２２は、例えば、パーソナルコンピュータに使用されるチップセットのひとつであり、汎用の電子デバイスである。主にＣＰＵ−ＰＣＩブリッジを含むＣＰＵシステムを構築する際によく使用されるバスのブリッジ機能を汎用回路化したものであり、本実施例ではＣＰＵ２１とのＰＣＩバス３０、メモリコントローラ、ＡＧＰバス２９との間をブリッジしている。
【００１８】
第２メモリ２３は、ＣＰＵ２１がＭＦＰ１の制御を行う際に、プログラムや中間処理データを一時的に記憶するメモリである。ＣＰＵ２１は高速処理を求められるため、通常起動時にＲＯＭ２５に記憶されたブートプログラムによってシステムを起動し、その後は高速にアクセス可能な第２メモリ２３に展開されたプログラムによって処理を行う。本実施例では規格化されたパーソナルコンピュータに使用されているＤＩＭＭを使用する。
サウスブリッジ（Ｓｏｕｔｈ  Ｂｒｉｄｇｅ：ＳＢ）２４は、同じくパーソナルコンピュータを含む情報処理装置に使用されるチップセットのひとつであり、汎用の電子デバイスである。主にＰＣＩ−ＩＳＡブリッジを含むＣＰＵシステムを構築する際によく使用されるバスのブリッジ機能を汎用回路化したものであり、本実施例ではＲＯＭ２５との間をブリッジしている。
ＲＯＭ２５は、ＣＰＵ２１がＭＦＰ１の制御を行う際のプログラム（ブートプログラムも含む）が格納されるメモリである。
【００１９】
次に、このＭＦＰ１における複写処理、画像読取処理、印刷処理について説明する。
図２は、図１に示す第１画像データ処理部と映像記憶装置１５の各内部構成を示すブロック図である。
図３は、図１に示す第２画像データ処理部の内部構成を示すブロック図である。
【００２０】
（複写処理）
ユーザは画像読取部１１に原稿をセットし、操作表示部１０によって所望するモードを含む各種の設定と複写（コピー）開始の指示の入力を行う。
操作表示部１０は、ユーザから入力された設定又は指示の情報を、ＭＦＰ１内部の制御コマンドデータに変換して発行する。その発行された制御コマンドデータはＰＣＩバス２６、バス制御回路部１７、ＡＧＰバス２９を介してＣＰＵ２１に通知される。
ＣＰＵ２１は、コピー開始の制御コマンドデータに従って、コピー動作プロセスのプログラムを実行し、コピー動作に必要な設定や動作を順に行っていく。
【００２１】
次にコピー動作プロセスの各動作を順に記す。
画像読取部１１で原稿の画像をスキャンし、ＲＧＢの各８ビットからなるデジタルの画像データを、ＰＣＩバス２６、バス制御回路部１７を介して第１メモリ１８に蓄積する。
ＣＰＵ２１は、第１画像データ処理部１４に、ユーザの所望するモードに従った処理の設定を行う。その処理の内容に関しては後述する。
このときにユーザがデータ保存を所望する場合、第１メモリ１８内のＲＧＢの各８ビットの画像データをＨＤＤ１３に保存してもよい。
第１メモリ１８に蓄積したＲＧＢの各８ビットの画像データは、第１画像データ処理部１４に送られる。
第１画像データ処理部１４内では、インタフェース（Ｉ／Ｆ）回路部４０を介してＰＣＩバス２６からの各種データを送受する。これは汎用拡張バスであるＰＣＩバス２６と、第１画像データ処理部１４内のローカルデータバスをブリッジする回路である。
【００２２】
不正コピー検知部４１は、受け取ったＲＧＢの画像データから、ある領域内のある規則性を持ったパターン（例えば、地紋）を検出し、そのパターンの有無の情報によって、その後の処理を決定することができる。
パターンが検出された場合、その情報に従って、不正コピーを防止するための不正コピー防止処理（不正複写防止処理）を行う。
不正コピー防止処理としては、不正画像の検知を行ったときに、第１画像データ処理部１４で処理を行い、画像書込部１２によって不正コピー防止処理を行う領域を塗りつぶしてプリントする（その結果不正に読み取られた画像部分は印刷されない）、又はプリントそのものを行わないという処理を行う。
不正コピー検知部４１によって検知された場合、Ｉ／Ｆ回路部４０を介して映像記憶装置１５のＩ／Ｆ回路部５０を通して映像記憶部５１に伝えられる。
【００２３】
また、不正コピー検知部４１から検知信号を受け取った場合、映像記憶部５１によって、ＭＦＰ１の周辺状況の映像の映像データを取得して記憶する。
映像記憶部５１によって撮影された映像は、ＰＣＩバス２６を通じて、ＨＤＤ１３に保存される。その保存された映像データは、外部管理者のＰＣ３によって確認することが可能である。
第１画像データ処理部１４の内部の色変換部４２は、ＲＧＢの各８ビットの画像データを受け取ると画像書込部１２用の色空間であるＣＭＹＫの各８ビットの画像データに変換する。このときにユーザが所望するモード情報に従って彩度もあわせて調整する。
γ変換部４３は、ＣＭＹＫの各８ビットの画像データを受け取るとユーザが所望するモード情報に従って明るさを調整して出力する。
【００２４】
フィルタ処理部４４は、ＣＭＹＫの各８ビットの画像データを受け取るとユーザが所望するモード情報に従って鮮鋭化処理と平滑化処理を施す。例えば、文字モードでは文字をハッキリ且つクッキリとさせるために鮮鋭化処理を施し、写真モードでは滑らかに階調性を表現するために平滑化処理を施す。
像域分離部４５では、後段の処理において画像の特徴に合った最適な処理を行うために、画像が文字領域であるか絵柄領域であるかを判定する。例えば、受け取った画像データを黒文字領域、色文字領域、およびその他の領域に分離する。
階調処理部４６では、ＣＭＹＫの各８ビットの画像データを受け取ると画像書込部１２の階調処理能力に従った階調数変換処理を行う。本実施例ではＣＭＹＫの各２ビットの画像データに疑似中間調処理の一つである誤差拡散法を用いて階調数を変換する。
【００２５】
第１画像データ処理部１４で処理されたＣＭＹＫの各２ビットの画像データは、ＰＣＩバス２６、バス制御回路部１７を介して再度第１メモリ１８に蓄積する。
このときにユーザがデータ保存を所望する場合、第１メモリ１８内のＣＭＹＫの各２ビットの画像データをＨＤＤ１３に保存してもよい。
第１メモリ１８に蓄積したＣＭＹＫの各２ビットの画像データは、ＰＣＩバス２６、バス制御回路部１７を介して画像書込部１２に送られる。
画像書込部１２は受け取ったＣＭＹＫの各２ビットの画像データを用紙に印刷し、原稿のコピーを生成する。
【００２６】
（画像読取処理）
ユーザは画像読取部１１に原稿をセットし、操作表示部１０によって所望するモードを含む各種の設定とスキャナ送信開始の指示の入力を行う。
操作表示部１０は、ユーザから入力された設定又は指示の情報を、ＭＦＰ１内部の制御コマンドデータに変換して発行する。その発行された制御コマンドデータはＰＣＩバス２６、バス制御回路部１７、ＡＧＰバス２９を介してＣＰＵ２１に通知される。
ＣＰＵ２１は、スキャナ開始の制御コマンドデータに従って、スキャナ送信動作プロセスのプログラムを実行し、スキャナ送信動作に必要な設定や動作を順に行っていく。
【００２７】
次にスキャナ送信動作プロセスの各動作を順に記す。
画像読取部１１で原稿の画像をスキャンし、ＲＧＢの各８ビットからなるデジタルの画像データを、ＰＣＩバス２６、バス制御回路部１７を介して第１メモリ１８に蓄積する。
ＣＰＵ２１は、第１画像データ処理部１４に、ユーザの所望するモードに従った処理の設定を行う。その処理の内容に関しては後述する。
このときにユーザがデータ保存を所望する場合、第１メモリ１８内のＲＧＢの各８ビットの画像データをＨＤＤ１３に保存してもよい。
第１メモリ１８に蓄積したＲＧＢの各８ビットの画像データは、第１画像データ処理部１４に送られる。
第１画像データ処理部１４内では、Ｉ／Ｆ回路部４０を介してＰＣＩバス２６からの各種データを送受する。これは汎用拡張バスであるＰＣＩバス２６と、第１画像データ処理部１４内のローカルデータバスをブリッジする回路である。
【００２８】
第１画像データ処理部１４の内部の色変換部４２は、ＲＧＢの各８ビットの画像データを受け取ると画像読取部１１用として規格化された色空間であるｓＲＧＢの各８ビットの画像データに変換する。
γ変換部４３は、ｓＲＧＢの各８ビットの画像データを受け取っても特になにも処理を行わずに次段に出力する。もし、このときユーザが特別に明るさの調整を指定している場合は明るさを調整して出力してもよい。
フィルタ処理部４４は、ｓＲＧＢの各８ビットの画像データを受け取ると、ユーザが所望するモード情報に従って鮮鋭化処理と平滑化処理を施す。例えば、文字モードでは文字をハッキリ且つクッキリとさせるために鮮鋭化処理を施し、写真モードでは滑らかに階調性を表現するために平滑化処理を施す。
【００２９】
像域分離部４５では、後段の処理において画像の特徴に合った最適な処理を行うために、画像が文字領域であるか絵柄領域であるかを判定する。例えば、受け取った画像データを黒文字領域、色文字領域、およびその他の領域に分離する。
階調処理部４６は、ｓＲＧＢの各８ビットの画像データを受け取っても特になにも処理を行わずに次段に出力する。もし、このときユーザが特別に階調数を指定している場合（例えば、２値）は、階調数変換処理を行って出力してもよい。
第１画像データ処理部１４で処理されたｓＲＧＢの各８ビットの画像データは、ＰＣＩバス２６、バス制御回路部１７を介して再度第１メモリ１８に蓄積する。
このときにユーザがデータ保存を所望する場合、第１メモリ１８内のｓＲＧＢの各８ビットの画像データをＨＤＤ１３に保存してもよい。
【００３０】
第１メモリ１８に蓄積したｓＲＧＢの各８ビットの画像データは、バス制御回路部１７、ＡＧＰバス２９、ＮＢ２２、ＰＣＩバス３０、外部Ｉ／Ｆ回路部１９を介して、ネットワーク２に送出され、外部サーバ（図示を省略する）やＰＣ３に伝えられ、スキャナ送信が行われたことになる。
【００３１】
（印刷処理）
ユーザはＰＣ３のアプリケーションソフトウェアを通じて電子ドキュメントの印刷を行う。
アプリケーションソフトウェアを使用する際、ユーザは、不正コピー防止機能を付加することができるが、その領域を任意に設定することができる。
ＰＣ３のプリンタドライバソフトウェアは、印刷指定された電子ドキュメントのレンダリングを行い、ＣＭＹＫの各２ビットのデジタルの画像データを生成する。
ＰＣ３はネットワーク２を介して、ＭＦＰ１に印刷（プリント）の要求と生成したＣＭＹＫの各２ビットの画像データを送出する。
ＣＰＵ２１は、外部Ｉ／Ｆ回路部１９、ＰＣＩバス３０、ＮＢ２２を介して、ＰＣ３からのプリント要求の制御コマンドデータを受け取ると、プリンタ動作プロセスのプログラムを実行し、必要な設定や動作を順に行っていく。
【００３２】
次に印刷動作プロセスの各動作を順に記す。
ＰＣ３からネットワーク２を介して送られてくるＣＭＹＫの各２ビットの画像データは、外部Ｉ／Ｆ回路部１９、ＰＣＩバス３０、ＮＢ２２、バス制御回路部１７を介して、第１メモリ１８に蓄積する。
第１メモリ１８に蓄積したＣＭＹＫの各２ビットの画像データは、バス制御回路部１７、ＰＣＩバス２６を介して、画像書込部１２に送られる。
画像書込部１２は受け取ったＣＭＹＫの各２ビットの画像データを用紙に印刷し、プリンタ処理が行われたことになる。
【００３３】
次に、このＭＦＰ１における不正コピーが行われたときの処理について説明する。
不正コピー検知部４１によって画像データ中から所定のパターンを検出すると、不正コピー防止処理を実行すると共に、映像記憶装置１５によって不正コピー防止機能が働いた状況時の不正コピーを行った使用者の映像を撮影してその映像データを取得して記憶する。その記憶された映像データを、さらに拡張バスのＡＴＡバス２７を通じてＨＤＤ１３に蓄積する。
さらに、ＨＤＤ１３に記憶された映像データを外部Ｉ／Ｆ回路部１９を通じて管理者のＰＣ３へ送信する。
【００３４】
この不正コピーを行った使用者の映像は、静止画でもよいし動画でもよい。
映像記憶装置１５によって不正コピー防止機能が働いた瞬間からＭＦＰ１の使用者の映像として所定時間（例えば、３秒）毎の静止画を撮影してその各映像データを記憶する。また、不正コピー防止機能が働いた瞬間からＭＦＰ１の使用者の映像として動画の映像を撮影してその映像データを１フレームずつ記憶する。その記憶された映像データは、ＨＤＤ１３に送って記憶すると共に、外部Ｉ／Ｆ回路部１９を通じてＰＣ３へ送信して通知する。
【００３５】
また、この不正コピーを行った使用者の映像データと共に、不正コピー対象の画像データも送るとよい。
不正コピー検知部４１によって画像データ中から所定のパターンを検出すると、不正コピー防止処理を実行すると共に、映像記憶装置１５によって不正コピー防止機能が働いた状況時の不正コピーを行った使用者の映像を撮影してその映像データを取得し、画像読取部１１によって読み取った不正コピー対象の画像データ（画像データ中からパターンを認識画像データに相当する）を取得し、その映像データと画像データとを併せて記憶する。その記憶された映像データと画像データをＡＴＡバス２７を通じてＨＤＤ１３に蓄積する。
【００３６】
さらに、ＨＤＤ１３に保存された映像データ及び不正コピー対象の画像データを、拡張バスを通じて外部Ｉ／Ｆ回路部１９に送信する。
外部Ｉ／Ｆ回路部１９に送られた映像データ及び画像データは、ネットワーク２（もしくは管理者のＰＣ３に接続できる外部Ｉ／Ｆ）を経由して、外部管理者のＰＣ３に送信される。
こうして、ＰＣ３に送信された映像データと画像データを再生して管理者がその映像と画像を確認することにより、不成コピーを行った状況、対象画像、人物の特定を行うことができる。
【００３７】
また、上記映像データを圧縮して送信するとよい。
第１画像データ処理部１４による不正コピー防止機能動作時の映像データを、ＡＴＡバス２７を通じてＨＤＤ１３に一旦蓄積する。その蓄積された映像データを、第２画像データ処理部１６の圧縮伸張部６１で圧縮してデータ容量を小さくする。その小さくした映像データを再びＨＤＤ１３内に保存する。その後の映像データの送信処理は、上述した処理と同様である。
さらに、上記映像データを集約するとよい。
ＨＤＤ１３内に蓄積された映像データを、第２画像データ処理部１６の圧縮伸張部６１によって圧縮して映像データのサイズ（データ量）を小さくする。さらに、集約部６２によって映像データを集約して再びＨＤＤ１３内に保存する。
その後の処理は、上述した処理と同様である。
【００３８】
このようにして、文書の不正コピーを行った使用者の映像を記憶することができ、その映像に基づいて不正コピーを行った使用者を特定することができるようになるため、更なるセキュリティの強化が計ることができる。
また、映像記憶装置によって記憶された映像及び画像を外部Ｉ／Ｆ部を用いて管理者のＰＣに送信することによって、ＭＦＰの管理者がＭＦＰで不正コピーが行われようとしたことを即座に知ることができ、事実の早期発見をすることができるようになるため、セキュリティが向上する。
さらに、ＭＦＰ周辺で常に監視を行わなくても、外部の管理者のＰＣ３でＭＦＰ１に蓄積された映像データを定期的に確認することにより、不正を行った使用者を確認することができ、セキュリティの強化が計ることができる。
【００３９】
また、映像記憶装置で記憶する映像を静止画にすれば、データ容量を小さくすることができ、映像データの加工もし易くなるため、データの整理を容易にすることができる。
さらに、映像データ又は画像データを圧縮して送信するようにすれば、送信時のデータ量を少なくすることができる。
また、外部管理者のＰＣに送信する映像データを集約化して送信することにより、より多くの情報を一纏めで送ることができ、また、多くの情報を一度に送信することができるので、状況解析が早期に行えるようになり、セキュリティの向上が計れる。
さらに、映像記憶装置で撮影される画像だけでなく、不正を行った使用者の映像と共に、不正コピー対象画像データも蓄積し、それらを管理者のＰＣに送信するので、管理者はどの不正コピー防止画像をコピーしようとしたのかと、誰が行おうとしたのかを同時に知ることができ、よりセキュリティの強化が計ることができる。
【産業上の利用可能性】
【００４０】
この発明による画像処理装置は、複写機、ファクシミリ、プリンタ、スキャナと、複写機、ファクシミリ、プリンタ、又はスキャナの機能を備えた装置全般に適用することができる。
【図面の簡単な説明】
【００４１】
【図１】この発明の一実施例のデジタル画像処理装置（ＭＦＰ）の機能構成を示すブロック図である。
【図２】図１に示す第１画像データ処理部と映像記憶装置１５の各内部構成を示すブロック図である。
【図３】図１に示す第２画像データ処理部の内部構成を示すブロック図である。
【符号の説明】
【００４２】
１：デジタル画像処理装置（ＭＦＰ）    ２：ネットワーク    ３：ＰＣ    ４：ＳＤメモリカード  １０：操作表示部    １１：画像読取部    １２：画像書込部    １３：ＨＤＤ    １４：第１画像データ処理部    １５：映像記憶装置    １６：第２画像データ処理部    １７：バス制御回路部    １８：第１メモリ    １９：外部Ｉ／Ｆ回路部    ２０：メモリカードリーダライタ装置    ２１：ＣＰＵ    ２２：ＮＢ    ２３：第２メモリ    ２４：ＳＢ    ２５：ＲＯＭ    ２６，３０：ＰＣＩバス    ２７：ＡＴＡバス    ２８：ＤＩＭＭバス    ２９：ＡＧＰバス    ４０，５０，６０：Ｉ／Ｆ回路部    ４１：不正コピー検知部    ４２：色変換部    ４３：γ変換部    ４４：フィルタ処理部    ４５：像域分離部    ４６：階調処理部    ５１：映像記憶部    ６１：圧縮伸張部    ６２：集約部
【図１】
2007081986.tif 000003
【図２】
2007081986.tif 000004
【図３】
2007081986.tif 000005